(57)【要約】  【課題】  光ディスクから所望の情報を再生する際のスキップ操作を簡単化し、使い勝手の向上を図れる光ディスク再生装置を提供する。  【解決手段】  ユーザからのスキップ要求により、例えばスキップアップキーＡが長押しされると、スキップ用キーがスキップアップキーであるとキー判定手段２２１により判定され、更に、スキップアップキーＡは長押しされたとキー長押し判定手段２２２により判定される。そして、ユーザが所望する情報の再生開始位置までスキップアップするために選択した例えば番号キーｅを押下すると、この番号キーｅは何番のキーであるかが番号キー検出手段２２３により検出される。この後、前記検出された番号キーｅの番号分「５」だけ再生開始位置がスキップ処理手段２２４によりスキップアップされる。この結果、スキップアップされた再生開始位置がユーザの所望する情報の再生開始位置となる。【選択図】      図１
2005190576.tif 000002
【特許請求の範囲】
【請求項１】
光ディスクに記録された情報を再生する光ディスク再生装置において、ユーザからのス
キップ要求により押下されたスキップ用キーがスキップアップキーであるかスキップダウ
ンキーであるかを判定するキー判定手段と、前記スキップアップキーであると前記キー判
定手段により判定された場合に前記スキップアップキーは長押しされたか否かを判定する
と共に、前記スキップダウンキーであると前記キー判定手段により判定された場合に前記
スキップダウンキーは長押しされたか否かを判定するキー長押し判定手段と、前記スキッ
プアップキーが長押しされたと前記キー長押し判定手段により判定され、または前記スキ
ップダウンキーが長押しされたと前記キー長押し判定手段により判定され、この後、ユー
ザにより指定されて押下された番号キーが何番のキーであるかを検出する番号キー検出手
段と、前記検出された番号キーの番号分だけスキップアップまたはスキップダウンするス
キップ処理手段とを有するシステムコントローラを備えたことを特徴とする光ディスク再
生装置。
【請求項２】
光ディスクに記録された情報を再生する光ディスク再生装置において、ユーザからのス
キップアップ要求により押下されたスキップアップキーが長押しされた後、ユーザにより
指定されて押下された番号キーの番号分だけスキップアップする制御を行うと共に、ユー
ザからのスキップダウン要求により押下されたスキップダウンキーが長押しされた後、ユ
ーザにより指定されて押下された番号キーの番号分だけスキップダウンする制御を行うシ
ステムコントローラを備えたことを特徴とする光ディスク再生装置。
【請求項３】
前記システムコントローラは、ユーザからのスキップ要求により押下されたスキップ用
キーがスキップアップキーであるかスキップダウンキーであるかを判定するキー判定手段
と、前記スキップアップキーであると前記キー判定手段により判定された場合に前記スキ
ップアップキーは長押しされたか否かを判定すると共に、前記スキップダウンキーである
と前記キー判定手段により判定された場合に前記スキップダウンキーは長押しされたか否
かを判定するキー長押し判定手段と、前記スキップアップキーが長押しされたと前記キー
長押し判定手段により判定され、または前記スキップダウンキーが長押しされたと前記キ
ー長押し判定手段により判定され、この後、ユーザにより指定されて押下された番号キー
が何番のキーであるかを検出する番号キー検出手段と、前記検出された番号キーの番号分
だけスキップアップまたはスキップダウンするスキップ処理手段とを有することを特徴と
する請求項２に記載の光ディスク再生装置。
【発明の詳細な説明】
【技術分野】
【０００１】
本発明は、光ディスクに記録された情報を再生する光ディスク再生装置に関し、特に、
光ディスクの所望する情報を再生する際にスキップさせて再生開始位置を設定できるスキ
ップ機能を有する光ディスク再生装置に関する。
【背景技術】
【０００２】
従来から光ディスク再生装置には、光ディスクに記録された複数の情報の中で、ユーザ
が所望する情報を早く再生できるようにするため、操作部に設けられているスキップ用キ
ーであるスキップアップキーまたはスキップダウンキーを操作して、光ピックアップを所
望の情報の再生開始位置までスキップさせるスキップ機能を有している。
【０００３】
ここで、従来の光ディスク再生装置におけるスキップ処理について説明する。ここでは
光ディスクに記録されている情報が音楽情報である場合で、例えば、１５曲の音楽が記録
されているＣＤ（コンパクト・ディスク）を再生する際のスキップ処理について説明する
。
【０００４】
ユーザは、この光ディスク再生装置の電源をオンして、この光ディスク再生装置に前記
ＣＤを挿入する。そして、前記ＣＤの現在の再生開始位置が１曲目にあるが、ユーザは、
例えば５曲目を聴きたい場合、操作部のスキップアップキーを４回押下する。これにより
、５曲目の再生開始位置に光ピックアップが設定され、５曲目の音楽が再生可能になる。
【０００５】
また、前記ＣＤの現在の再生開始位置が例えば６曲目にあるが、ユーザは、例えば２曲
目を聴きたい場合、操作部のスキップダウンキーを４回を押下する。これにより、２曲目
の再生開始位置に光ピックアップが設定され、２曲目の音楽が再生可能になる。
【０００６】
また、サーチモードに設定して、直接、所望の曲へスキップする場合は、操作部に設け
られている番号キーを押下すれば、所望の曲に再生開始位置が設定される。例えば、サー
チモードにて、５番の番号キーを押下すれば、５曲目の音楽が再生可能になる。
【特許文献１】特開２００１−３２０６７７号公報
【特許文献２】特開２００３−０２９７９４号公報
【特許文献３】特開２００３−１０００６８号公報
【発明の開示】
【発明が解決しようとする課題】
【０００７】
従来の光ディスク再生装置では、前述したようなスキップ機能により、ユーザが所望す
る曲へスキップすることを実現しているが、現在の再生開始位置に有る曲から所望の曲ま
で離れている場合、所望の曲を再生するには、スキップアップキーまたはスキップダウン
キーを何回も押下する操作を行わなければならないので、ユーザにとってはキー操作が煩
わしく、使い勝手が劣るという課題が生じる。
【０００８】
また、１０曲以上記録されているＣＤなどの場合、サーチモードにて例えば１５曲目を
選択する際、先ず、サーチモードにキー操作により設定し、次に＋１０キーを押下した後
、５番の番号キーを押下すると、１５曲目が再生可能になるが、この場合も、ユーザにと
ってはキー操作が煩わしく、使い勝手が劣るという課題が生じる。
【０００９】
なお、特許文献１の従来技術では、ユーザによりスキップ要求が入力されると、その入
力が順方向スキップであるか、逆方向スキップであるか、そのスキップ方向を判断し、ユ
ーザのスキップ要求が大単位であるか、小単位であるかを判断してスキップする単位を決
定し、その決定されたスキップ方向およびスキップ単位に基づいて現在の再生位置から最
も近いマルチメディアデータストリームの構造的／意味的情報変更地点を再生開始地点と
して選定してその地点からメディアの再生を開始するように構成されている。
【００１０】
しかしながら、この従来技術は、ビデオ再生中の商業広告のような所望しない部分をス
キップするだけで、複数の曲などの情報が記録されている光ディスクから、所望の情報を
再生するためのスキップ操作については開示されていないので、上記のような課題を解決
することができない。
【００１１】
特許文献２の従来技術では、高速早送り・早戻しを検出する操作手段と、高速早送り・
早戻しの際に、指定された再生フレームをデコードし、スキップフレームをスキップ処理
して所定倍速での再生を行う指定再生フレーム数デコード手段と、再生フレーム数を指定
する再生フレーム数設定手段と、スキップフレーム数を指定するスキップフレーム数設定
手段とを備え、再生フレーム数およびスキップフレーム数を任意に変更可能となるように
構成し、高速早送り・早戻し時には、再生フレーム数、スキップフレーム数を変更するだ
けで倍速の速度を任意に可変できるようにしているが、複数の曲などの情報が記録されて
いる光ディスクから、所望の情報を再生するためのスキップ操作については開示されてい
ないので、上記のような課題を解決することができない。
【００１２】
特許文献３の従来技術では、スキップアップキーまたはスキップダウンキーを押し続け
てトラック番号を自動的に順次更新する場合に、リモートコントローラの表示部で表示可
能な複数種類のデータに表示の優先度を予め付しておき、優先度が最も高いデータは必ず
転送し、それ以外のデータは転送可能なデータだけ転送するようにして、トラック番号の
更新周期を短く設定できるようにすることにより、選曲を短時間で行えるようにしている
が、スキップアップキーまたはスキップダウンキーを押し続けなければならないので、操
作が面倒で、上記のような課題を解決できるものではない。
【００１３】
本発明は、上記のような課題を解決するためになされたもので、光ディスクから所望の
情報を再生する際のスキップ操作を簡単化し、使い勝手の向上を図れる光ディスク再生装
置を提供することを目的とする。
【課題を解決するための手段】
【００１４】
上記目的を達成するために、請求項１の発明は、光ディスクに記録された情報を再生す
る光ディスク再生装置において、ユーザからのスキップ要求により押下されたスキップ用
キーがスキップアップキーであるかスキップダウンキーであるかを判定するキー判定手段
と、前記スキップアップキーであると前記キー判定手段により判定された場合に前記スキ
ップアップキーは長押しされたか否かを判定すると共に、前記スキップダウンキーである
と前記キー判定手段により判定された場合に前記スキップダウンキーは長押しされたか否
かを判定するキー長押し判定手段と、前記スキップアップキーが長押しされたと前記キー
長押し判定手段により判定され、または前記スキップダウンキーが長押しされたと前記キ
ー長押し判定手段により判定され、この後、ユーザにより指定されて押下された番号キー
が何番のキーであるかを検出する番号キー検出手段と、前記検出された番号キーの番号分
だけスキップアップまたはスキップダウンするスキップ処理手段とを有するシステムコン
トローラを備えたことを特徴とする光ディスク再生装置を提供する。
【００１５】
この構成において、ユーザからのスキップ要求により、例えばスキップアップキーが長
押しされると、スキップ用キーがスキップアップキーであるとキー判定手段により判定さ
れ、更に、前記スキップアップキーは長押しされたとキー長押し判定手段と判定される。
そして、ユーザが所望する情報の再生開始位置までスキップアップするために選択した番
号キーを押下すると、この番号キーは何番のキーであるかが番号キー検出手段により検出
される。この後、前記検出された番号キーの番号分だけ、光ディスクの情報の再生開始位
置がスキップ処理手段によりスキップアップされる。この結果、スキップアップされた再
生開始位置がユーザの所望する情報の再生開始位置となり、所望の情報が再生可能になる
。
【００１６】
この構成によれば、光ディスクから所望の情報を再生する際、スキップアップキーまた
はスキップダウンキーを長押しした後、番号キーを押下するだけで、所望の情報の再生開
始位置までスキップさせることができるので、スキップ操作が簡単化し、使い勝手が向上
する。
【００１７】
請求項２の発明は、光ディスクに記録された情報を再生する光ディスク再生装置におい
て、ユーザからのスキップアップ要求により押下されたスキップアップキーが長押しされ
た後、ユーザにより指定されて押下された番号キーの番号分だけスキップアップする制御
を行うと共に、ユーザからのスキップダウン要求により押下されたスキップダウンキーが
長押しされた後、ユーザにより指定されて押下された番号キーの番号分だけスキップダウ
ンする制御を行うシステムコントローラを備えたことを特徴とする光ディスク再生装置を
提供する。
【００１８】
この構成において、ユーザからのスキップアップ要求により、スキップアップキーが長
押しされ、その後、ユーザにより指定された番号キーが押下されると、その番号分だけス
キップアップされ、また、ユーザからのスキップダウン要求により、スキップダウンキー
が長押しされ、その後、ユーザにより指定された番号キーが押下されると、その番号分だ
けスキップダウンされる。
【００１９】
この構成によれば、光ディスクから所望の情報を再生する際、スキップアップキーまた
はスキップダウンキーを長押しした後、番号キーを押下するだけで、所望の情報の再生開
始位置までスキップさせることができるので、スキップ操作が簡単化し、使い勝手が向上
する。
【００２０】
請求項３の発明では、請求項２の発明において、システムコントローラは、ユーザから
のスキップ要求により押下されたスキップ用キーがスキップアップキーであるかスキップ
ダウンキーであるかを判定するキー判定手段と、前記スキップアップキーであると前記キ
ー判定手段により判定された場合に前記スキップアップキーは長押しされたか否かを判定
すると共に、前記スキップダウンキーであると前記キー判定手段により判定された場合に
前記スキップダウンキーは長押しされたか否かを判定するキー長押し判定手段と、前記ス
キップアップキーが長押しされたと前記キー長押し判定手段により判定され、または前記
スキップダウンキーが長押しされたと前記キー長押し判定手段により判定され、この後、
ユーザにより指定されて押下された番号キーが何番のキーであるかを検出する番号キー検
出手段と、前記検出された番号キーの番号分だけスキップアップまたはスキップダウンす
るスキップ処理手段とを有するので、スキップアップキーまたはスキップダウンキーを長
押しした後、番号キーを押下するだけで、所望の情報の再生開始位置までスキップさせる
ことができるようになる。
【発明の効果】
【００２１】
以上のように本発明によれば、ユーザからのスキップ要求により押下されたスキップ用
キーがスキップアップキーであるかスキップダウンキーであるかを判定するキー判定手段
と、前記スキップアップキーであると前記キー判定手段により判定された場合に前記スキ
ップアップキーは長押しされたか否かを判定すると共に、前記スキップダウンキーである
と前記キー判定手段により判定された場合に前記スキップダウンキーは長押しされたか否
かを判定するキー長押し判定手段と、前記スキップアップキーが長押しされたと前記キー
長押し判定手段により判定され、または前記スキップダウンキーが長押しされたと前記キ
ー長押し判定手段により判定され、この後、ユーザにより指定されて押下された番号キー
が何番のキーであるかを検出する番号キー検出手段と、前記検出された番号キーの番号分
だけスキップアップまたはスキップダウンするスキップ処理手段とを有するシステムコン
トローラを備えたので、光ディスクから所望の情報を再生する際、スキップアップキーま
たはスキップダウンキーを長押しした後、番号キーを押下するだけで、所望の情報の再生
開始位置までスキップさせることができ、これにより、スキップ操作が簡単化し、使い勝
手が向上する。
【００２２】
また、本発明によれば、ユーザからのスキップアップ要求により押下されたスキップア
ップキーが長押しされた後、ユーザにより指定されて押下された番号キーの番号分だけス
キップアップする制御を行うと共に、ユーザからのスキップダウン要求により押下された
スキップダウンキーが長押しされた後、ユーザにより指定されて押下された番号キーの番
号分だけスキップダウンする制御を行うシステムコントローラを備えたので、光ディスク
から所望の情報を再生する際、スキップアップキーまたはスキップダウンキーを長押しし
た後、番号キーを押下するだけで、所望の情報の再生開始位置までスキップさせることが
でき、これにより、スキップ操作が簡単化し、使い勝手が向上する。
【発明を実施するための最良の形態】
【００２３】
以下、添付図面を参照しつつ、本発明の実施の形態について説明する。図１は本発明の
一実施形態に係る光ディスク再生装置の構成を示すブロック図である。
【００２４】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２５】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２６】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２７】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２８】
また、この光ディスク再生装置は、システムコントローラ２２に対して、再生指示を与
えるための再生キーＤ、再生停止を指示するための停止キーＥ、スキップアップキーＡ、
スキップダウンキーＢ、および番号キーａ〜ｋなどの各種操作キーを有する操作部２１と
、装置全体を制御する前記システムコントローラ２２とを備えている。なお、操作部２１
は、リモートコントローラであっても良いし、装置本体の操作パネルに設けられた操作部
であっても良い。
【００２９】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００３０】
システムコントローラ２２は、本実施形態の特徴として、ユーザからのスキップ要求に
より押下されたスキップ用キーがスキップアップキーであるかスキップダウンキーである
かを判定するキー判定手段２２１と、前記スキップアップキーであるとキー判定手段２２
１により判定された場合に前記スキップアップキーは長押しされたか否かを判定すると共
に、前記スキップダウンキーであるとキー判定手段２２１により判定された場合に前記ス
キップダウンキーは長押しされたか否かを判定するキー長押し判定手段２２２と、前記ス
キップアップキーが長押しされたとキー長押し判定手段２２２により判定され、または前
記スキップダウンキーが長押しされたとキー長押し判定手段２２２により判定され、この
後、ユーザにより指定されて押下された番号キーが何番のキーであるかを検出する番号キ
ー検出手段２２３と、前記検出された番号キーの番号分だけスキップアップまたはスキッ
プダウンするスキップ処理手段２２４とを有する。
【００３１】
図２は本実施形態におけるスキップ処理を説明するためのフローチャートである。この
フローチャートを参照して本実施形態におけるスキップ処理を説明する。ここでは光ディ
スク１に記録されている情報が音楽情報である場合で、例えば、１５曲の音楽が記録され
ているＣＤを再生する際のスキップ処理について説明する。なお、光ディスク１に記録さ
れる音楽情報の各曲は、各タイトル毎に区分されているので、スキップ処理はタイトルを
スキップするのに相当するものとする。
【００３２】
ユーザは、この光ディスク再生装置の電源をオンして、この光ディスク再生装置に前記
ＣＤを挿入する。そして、前記ＣＤの現在の再生開始位置が１曲目にあるが、ユーザは、
例えば５曲目を聴きたい場合、操作部２１のスキップアップキーＡを長押しする。ここま
での処理において、スキップアップキーＡが押下されたことはシステムコントローラ２２
のキー判定手段２２１により判定され（ステップＳ１）、スキップアップキーＡの長押し
はキー長押し判定手段２２２により判定される（ステップＳ２）。
【００３３】
次に、ユーザは５曲目を聴きたいので、操作部２１の４番の番号キーｄを押下する（ス
テップＳ３）。なお、スキップアップせずに再生を開始した場合は、１曲目から再生され
るが、１曲目から４曲スキップすれば、５曲目が再生開始位置になる。したがって、この
場合は、４番の番号キーｄを押下することになる。この４番の番号キーｄが押下されたこ
とは、番号キー検出手段２２３により検出される（ステップＳ４）。
【００３４】
その後、番号分だけスキップアップが可能であるか否かが判定され（ステップＳ５）、
番号分だけスキップアップが可能であれば、番号分だけスキップアップがスキップ処理手
段２２４により行われる（ステップＳ６）。ここでは、４番の番号キーｄが押下されたの
で、「４」だけスキップアップし、５曲目が再生開始位置として設定される（ステップＳ
７）。そして、その後、５曲目の音楽が再生開始されることになる（ステップＳ８）。
【００３５】
ところで、ステップＳ５において、番号分のスキップアップが不可能であると判定され
た場合、例えば、１０曲目からスキップアップする際に、６番の番号キーｆを押下すると
、１６曲目にスキップするが、ここでの説明におけるＣＤには１５曲しか記録されていな
いので、スキップアップが不可能になり、スキップが中止される（ステップＳ１１）。な
お、１６曲目にスキップする代わりに１曲目に戻るような処理をした場合は、スキップを
中止させる処理を行う必要はない。
【００３６】
一方、スキップアップキーＡを長押しをせずに、１回押下した場合は、１曲スキップア
ップする通常のスキップアップが行われ（ステップＳ９）、そこから再生が開始される（
ステップＳ１０）。なお、通常のスキップアップとは、スキップアップキーＡの押下回数
に応じて順次スキップアップして行く処理のことを言う。
【００３７】
前記ＣＤの現在の再生開始位置が例えば６曲目に有るが、ユーザは例えば２曲目を聴き
たい場合、操作部２１のスキップダウンキーＢを長押しする。ここまでの処理において、
スキップダウンキーＢが押下されたことはシステムコントローラ２２のキー判定手段２２
１により判定され（ステップＳ１２）、スキップダウンキーＢの長押しはキー長押し判定
手段２２２により判定される（ステップＳ１３）。
【００３８】
次に、ユーザは２曲目を聴きたいので、４番の番号キーｄを押下する（ステップＳ１４
）。この４番の番号キーｄが押下されたことは、番号キー検出手段２２３により検出され
る（ステップＳ１５）。
【００３９】
その後、番号分だけスキップダウンが可能であるか否かが判定され（ステップＳ１６）
、番号分だけスキップダウンが可能であれば、番号分だけスキップダウンがスキップ処理
手段２２４により行われる（ステップＳ１７）。ここでは、４番の番号キーｄが押下され
たので、「４」だけスキップダウンし、２曲目が再生開始位置として設定される（ステッ
プＳ１８）。そして、その後、２曲目の音楽が再生開始されることになる（ステップＳ１
９）。
【００４０】
ところで、ステップＳ１６において、番号分のスキップダウンが不可能であると判定さ
れた場合、例えば、３曲目からスキップダウンする際に、５番の番号キーｅを押下すると
、曲が無いので、スキップアップが不可能になり、スキップが中止される（ステップＳ２
２）。なお、３曲目から５曲スキップダウンする際に、２曲目、１曲目に戻り、次に１５
曲目に飛び、１５曲目から１３曲に移るようなスキップダウンするような処理をした場合
は、スキップを中止させる処理を行う必要はない。この場合は、３曲目から１３曲目に直
接スキップする。
【００４１】
一方、スキップダウンキーＢを長押しをせずに、１回押下した場合は、１曲スキップダ
ウンする通常のスキップダウンが行われ（ステップＳ２０）、そこから再生が開始される
（ステップＳ２１）。なお、通常のスキップダウンとは、スキップダウンキーＢの押下回
数に応じて順次スキップダウンして行く処理のことを言う。
【００４２】
なお、本実施形態では、ＣＤに記録された音楽情報を再生する際のスキップ処理につい
て説明したが、これに限らず、ＤＶＤ（デジタル・バーサタイル・ディスク）に記録され
た音楽情報や映画情報などを再生する際のスキップ処理に対しても適用できることは言う
までもない。したがって、ＤＶＤやＣＤの再生にてチャプターやトラックが多数ある場合
の所望の情報の選択方法を簡単にすることができ、ユーザに対する操作の便利さの向上を
図れる。
【００４３】
以上説明したように本実施形態によれば、ユーザからのスキップアップ要求により押下
されたスキップアップキーＡが長押しされた後、ユーザにより指定されて押下された番号
キーの番号分だけスキップアップする制御を行うと共に、ユーザからのスキップダウン要
求により押下されたスキップダウンキーＢが長押しされた後、ユーザにより指定されて押
下された番号キーの番号分だけスキップダウンする制御を行うシステムコントローラ２２
を備えたので、光ディスク１から所望の情報を再生する際、スキップアップキーＡまたは
スキップダウンキーＢを長押しした後、番号キーを押下するだけで、所望の情報の再生開
始位置までスキップさせることができ、これにより、スキップ操作が簡単化し、使い勝手
が向上する。
【００４４】
また、例えば、現状１０曲以上記録されているＣＤなどの場合、＋１０キーを押し、選
択したい曲へスキップしなければならない測定等では、特に３曲先の曲を選ぶことが多数
あるが、そのような場合でも、本実施形態によるスキップ操作を用いれば、操作が簡単に
なる。
【図面の簡単な説明】
【００４５】
【図１】本発明の一実施形態に係る光ディスク再生装置の構成を示すブロック図である。
【図２】前記実施形態におけるスキップ処理を説明するためのフローチャートである。
【符号の説明】
【００４６】
２２    システムコントローラ
２２１    キー判定手段
２２２    キー長押し判定手段
２２３    番号キー検出手段
２２４    スキップ処理手段
Ａ    スキップアップキー
Ｂ    スキップダウンキー
ａ〜ｋ    番号キー
【図１】
2005190576.tif 000003
【図２】
2005190576.tif 000004